(57)【特許請求の範囲】
【請求項１】
エレベータのかご又は乗場に情報を表示する表示手段を設けて上記エレベータの利用客に情報を提供するようにしたエレベータの情報表示システムにおいて、
上記表示手段毎に設けられて個別に時刻を演算する個別時計と、
複数のエレベータを一群として管理する群管理制御装置に設けられ、上記表示手段に対して共通に設けられて停電時は電池によって電源の供給を受けて作動する基準時計と、
上記表示手段を有する表示制御装置毎にそれぞれ設けられ、自己の表示制御装置で上記個別時計の時刻を修正すべき要件を検出する時刻修正要件検出手段と、
上記群管理制御装置に設けられ、この時刻修正要件検出手段が上記要件を検出したことによって作動して上記個別時計の時刻を上記基準時計による時刻に修正するように時刻修正情報を送信する時刻修正指令手段と、
上記個別時計毎に設けられて上記時刻修正情報に基いて上記個別時計の時刻を上記基準時計の時刻に設定する時刻設定手段と、
上記エレベータを個別に制御するエレベータ制御装置に設けられ、上記時刻修正要求を受信するとこれを上記時刻修正指令手段へと送信するとともに、上記時刻修正情報を受信するとこれを上記時刻設定手段へと送信する時刻修正中継手段と、を備え、
上記時刻修正要件検出手段は、自己の上記表示制御装置で上記要件を検出すると、修正要求元を識別するセレクタを付した時刻修正要求を上記時刻修正中継手段へ送信し、
上記時刻修正中継手段は、上記セレクタが付された上記時刻修正要求を受信して上記受信した上記セレクタを記憶するとともに、上記時刻修正指令手段から返送された上記時刻修正情報を受信して上記記憶したセレクタを付加した上記時刻修正情報に再編成して上記時刻設定手段へと送信するものとしたエレベータの情報表示制御システム。
【請求項２】
上記時刻修正中継手段は、上記セレクタが付された上記時刻修正要求を受信して、この受信したデータが破壊されていた場合にはこの時刻修正中継手段が設けられた上記エレベータ制御装置が管轄する全ての上記表示制御装置を対象としてセレクタを設定して記憶し、この受信したデータが破壊されていない場合には上記受信した上記セレクタを記憶するとともに、上記時刻修正指令手段から返送された上記時刻修正情報を受信して、上記記憶したセレクタを付加した上記時刻修正情報に再編成して上記時刻設定手段へと送信するものとした請求項１に記載のエレベータの情報表示制御システム。
【請求項３】
時刻修正要件検出手段は、この時刻修正要件検出手段が設けられた装置に電源が投入されたことを、個別時計の時刻を修正すべき要件として検出するものとした請求項１又は請求項２に記載のエレベータの情報表示制御システム。
【請求項４】
表示手段に表示する情報を作成中若しくは修正中のときは上記表示手段にその旨を表示させる表示制御回路を備えた請求項１又は請求項２に記載のエレベータの情報表示制御システム。
【請求項５】
かご内の照明灯が消灯したときは上記かごに設けられた表示手段の電源を遮断するように制御する表示制御回路を備えた請求項１又は請求項２に記載のエレベータの情報表示制御システム。
【請求項６】
エレベータのかご又は乗場に情報を表示する表示手段を設けて上記エレベータの利用客に情報を提供するようにしたエレベータの情報表示システムにおいて、
上記表示手段毎に設けられて個別に時刻を演算する個別時計と、
複数のエレベータを一群として管理する群管理制御装置に設けられ、上記表示手段に対して共通に設けられて停電時は電池によって電源の供給を受けて作動する基準時計と、
上記表示手段を有する表示制御装置毎にそれぞれ設けられ、自己の表示制御装置で上記個別時計の時刻を修正すべき要件を検出する時刻修正要件検出手段と、
上記群管理制御装置に設けられ、この時刻修正要件検出手段が上記要件を検出したことによって作動して上記個別時計の時刻を上記基準時計による時刻に修正するように時刻修正情報を送信する時刻修正指令手段と、
上記個別時計毎に設けられて上記時刻修正情報に基いて上記個別時計の時刻を上記基準時計の時刻に設定する時刻設定手段と、
上記エレベータを個別に制御するエレベータ制御装置に設けられ、上記時刻修正要求を受信するとこれを上記時刻修正指令手段へと送信するとともに、上記時刻修正情報を受信するとこれを上記時刻設定手段へと送信する時刻修正中継手段と、を備え、
上記時刻修正要件検出手段は、自己の上記表示制御装置で上記要件を検出すると、修正要求元を識別するセレクタを付した時刻修正要求を上記時刻修正中継手段へ送信し、
上記時刻修正中継手段は、上記セレクタが付された上記時刻修正要求を受信してこの時刻修正中継手段が設けられた上記エレベータ制御装置が管轄する全ての上記表示制御装置を対象としてセレクタを設定して記憶し、上記時刻修正指令手段から返送された上記時刻修正情報を受信して上記記憶したセレクタを付加した上記時刻修正情報に再編成して当該エレベータ制御装置が管轄する全ての上記時刻設定手段へと送信するものとしたエレベータの情報表示制御システム。
【請求項７】
エレベータのかご又は乗場に情報を表示する表示手段を設けて上記エレベータの利用客に情報を提供するようにしたエレベータの情報表示システムにおいて、
上記表示手段毎に設けられて個別に時刻を演算する個別時計と、
複数のエレベータを一群として管理する群管理制御装置に設けられ、上記表示手段に対して共通に設けられて停電時は電池によって電源の供給を受けて作動する基準時計と、
上記表示手段を有する表示制御装置毎にそれぞれ設けられ、自己の表示制御装置で上記個別時計の時刻を修正すべき要件を検出する時刻修正要件検出手段と、
上記群管理制御装置に設けられ、この時刻修正要件検出手段が上記要件を検出したことによって作動して上記個別時計の時刻を上記基準時計による時刻に修正するように時刻修正情報を送信する時刻修正指令手段と、
上記個別時計毎に設けられて上記時刻修正情報に基いて上記個別時計の時刻を上記基準時計の時刻に設定する時刻設定手段と、
上記エレベータを個別に制御するエレベータ制御装置に設けられ、上記時刻修正要求を受信するとこれを上記時刻修正指令手段へと送信するとともに、上記時刻修正情報を受信するとこれを上記時刻設定手段へと送信する時刻修正中継手段と、を備え、
上記時刻修正要件検出手段は、自己の上記表示制御装置で上記要件を検出すると、修正要求元を識別するセレクタを付した時刻修正要求を上記時刻修正中継手段へ送信し、
上記時刻修正指令手段は、上記時刻修正要求を受信して全ての前記エレベータ制御装置を対象とするセレクタを付加した前記時刻修正情報を返送し、
上記時刻修正中継手段は、上記時刻修正指令手段から返送された上記時刻修正情報を受信して、この時刻修正中継手段が設けられた上記エレベータ制御装置が管轄する全ての上記表示制御装置を対象としてセレクタを付加した上記時刻修正情報に再編成して当該エレベータ制御装置が管轄する全ての上記時刻設定手段へと送信するものとしたエレベータの情報表示制御システム。
【発明の詳細な説明】
【０００１】
【発明の属する技術分野】
この発明は、エレベータの利用客に情報を提供する情報表示システムに係り、特に上記情報内容に含まれる時刻の修正に関するものである。
【０００２】
【従来の技術】
近年、エレベータのかごや乗場に設置した表示装置に、エレベータの運行情報やエレベータ案内情報、ビルの案内、催し物情報、現在時刻等といった多種多様な情報を一元化して表示することが多くなっている。この内、エレベータ案内情報、ビルの案内、催し物情報は、例えば時刻に応じて表示内容を自動的に変える等のスケジュール制御も行われている。このようなスケジュール制御や現在時刻の表示は、多くの場合、表示装置側に時計ＩＣ等を搭載し、それぞれ独立した時刻に基いて行われている。
また、個々の時計ＩＣによる時刻のずれを防止するために、時計ＩＣを電池でバックアップしたり、定期的に時計を点検して時刻を修正することが行われている。
【０００３】
従来のエレベータの情報表示制御システムを図１８及び図１９に示す。
図１８において、エレベータのかご内や乗場には、表示制御装置３−１〜３−ｎ（以下、総称する場合は表示制御装置３ともいう。）が設けてあって表示指令手段２１からは、エレベータの運行状況が出力され、制御系ケーブル４を介して表示制御装置３に送信されて表示手段３１に表示される。表示手段３１には、単にエレベータの運行状況のみならず、各表示制御装置３がそれぞれ備えている個別時計３２による時刻も併せて表示される。この場合、各個別時計３２における時刻には誤差が生じる。この誤差を補正するために、例えば、ノートパソコン５によって入力した時刻情報が、情報系ケーブル６を介して表示制御装置３の時刻設定手段３３に入力される。時刻設定手段３３は、個別時計３２の時刻を修正して、入力された時刻に設定する。
【０００４】
図１９によって更に詳細を説明すると、エレベータ制御装置２には、エレベータの運行を制御するマイコンが設けられており、ＣＰＵ２０１、ＲＯＭ２０２、ＲＡＭ２０３及び入出力インターフェイス２０４は、それぞれバス２００に接続されており、ＣＰＵ２０１はＲＯＭ２０２に記録されたプログラムに従ってエレベータのかごの運行を制御し、ＲＡＭ２０３に登録されている呼びに応答させる。上記かごの運行状況は、入出力インターフェイス２０４を介して各表示制御装置３の入出力インターフェイス３０４に入力される。
【０００５】
表示制御装置３には、ＣＰＵ３０１、ＲＯＭ３０２、ＲＡＭ３０３及び入出力インターフェイス３０４が、それぞれバス３００を介して接続されており、上記かごの運行状況は、画像情報に変換されて入出力インターフェイス３０４を介して表示手段３０７に表示される。また、現在時刻は、電池３０６によって電源の供給を受けて作動する時計ＩＣ３０５によって演算され、画像情報に変換されて入出力インターフェイス３０４を介して表示手段３０７に表示される。各表示制御装置３−１〜３−ｎの個別時計３２の時刻に誤差が生じた場合は、ノートパソコン５によって、修正すべき表示制御装置３を識別するためのセレクタを付して現在時刻を入力する。この現在時刻は、情報系ケーブル６を介して表示制御装置３に送信され、上記セレクタによって識別されて対応する表示制御装置３に入出力インターフェイス３０４を介して取り込まれて、時計ＩＣ３０５の時刻は、ノートパソコン５によって入力された時刻に修正される。
【０００６】
また、特開平７−３３０２３４号公報には、所定の時間間隔をおいて公衆電話回線を介して時刻情報を要求し、この要求に応答してサービスされる標準時刻情報により情報制御装置の時刻を補正するようにしたものが開示されている。
【０００７】
【発明が解決しようとする課題】
従来のエレベータの情報表示制御システムは、上記のとおり構成されているので、エレベータの据付が完了した際には、全ての時計ＩＣ３０５の時刻を個別に設定しなければならない。対象となる表示制御装置３の数が多いために手間がかかる、という問題があった。
また、時刻設定作業が長時間に亘るため、時間の経過に合せて入力する時刻も変えなければならず面倒である、という問題もあった。
更に、停電を考慮して、各表示制御装置３の時計ＩＣを個別に電池でバックアップする必要があり高価となる、という問題もあった。
【０００８】
更にまた、特開平７−３３０２３４号公報に開示されたものは、公衆電話回線に接続するための通信装置が必要であり、通信費もかかるため高価である、という問題があった。
更にまた、上記公報に記載のものは、時計の月差を考慮して定期的に時刻修正要求を出すようにしたものである。このため、エレベータの据付中等で、夜間にエレベータの電源を遮断する場合、又は長時間電源を遮断するエレベータの場合は、時刻修正要求が出される迄、誤った時刻が長期間表示される、という問題もあった。
更にまた、表示制御装置３を追加又は交換する場合に、表示制御装置３の時刻修正に手間がかかる、という問題もあった。
更にまた、時刻が修正される迄の間、誤ったスケジュール制御が行われて、利用客を混乱させる、という問題もあった。
【０００９】
この発明は、上記問題点を解決するもので、乗場又はかごに設けられた表示制御装置に内蔵された個別時計の時刻を修正すべき要件が検出される毎に、上記個別時計の時刻をエレベータ制御装置又は群管理制御装置に設けられた基準時計の時刻で修正するようにして、人為による時刻修正の手間を省き、また、上記個別時計をバックアップする電池も必要としないエレベータの情報表示制御システムを提供する。
【００１０】
【課題を解決するための手段】
請求項１及び請求項２に係るエレベータの情報表示システムは、エレベータのかご又は乗場に設けられた表示制御装置に個別時計を内蔵して現在時刻を表示させ、この個別時計の時刻を修正すべき要件が発生すると、上記要件を時刻修正要件検出手段によって検出して上記表示手段に対して共通に設けられた基準時計の時刻で上記個別時計の時刻を修正するようにして、個別時計を基準時計で一元管理するようにしたものであって、基準時計を、複数のエレベータを一群として管理する群管理制御装置に設け、時刻修正要件検出手段を、表示手段ごとにそれぞれ設け、時刻修正要件を検出すると修正要求元を識別するセレクタを付した時刻修正要求を上記基準時計側へ送信し、上記基準時計側からは上記セレクタに基いて上記要求元の表示手段へ返送するようにして、個別時計を基準時計で一元管理するようにしたものである。
【００１５】
請求項３に係るエレベータの情報表示システムは、時刻修正要件検出手段が設けられた回路に電源が投入されたことを、個別時計の時刻を修正すべき要件としたものである。
【００１９】
請求項４に係るエレベータの情報表示システムは、表示手段に表示する情報を作成中若しくは修正中のときは上記表示手段にその旨を表示するようにしたものである。
【００２０】
請求項５に係るエレベータの情報表示システムは、かご内の照明灯が消灯したときは、上記かごに設けられた表示手段の電源を遮断するようにしたものである。
【００２１】
【発明の実施の形態】
実施の形態１．
実施の形態１は、主としてエレベータが１台の場合であって、基準時計と時刻修正要件検出手段を、共にエレベータ制御装置に設けて、個別時計の時刻を修正すべき要件が検出されると基準時計の時刻で修正するようにしたものである。
図１から図４は、この発明の実施の形態１を示す。図１は、全体構成を示すブロック図で、２はエレベータの運行を制御するエレベータ制御装置、３−１〜３−ｎはかご又は乗場に設けられて情報を提供する表示制御装置（以下、総称して表示制御装置３ともいう。）、４はエレベータ制御装置２から乗場又はかご用機器に至る制御系ケーブルである。
【００２２】
エレベータ制御装置２には、エレベータの運行状況を表示するように制御系ケーブル４を介して表示制御装置３に指令する表示指令手段２１と、表示制御装置３に対して共通に設けられて停電時は電池２２ｂによって電源の供給を受けて作動する基準時計２２と、後述の個別時計３２の時刻を修正すべき要件を検出する時刻修正要件検出手段２３と、この時刻修正要件検出手段２３が修正要件を検出したことによって作動して個別時計３２の時刻を基準時計２２による時刻に修正するように時刻修正情報を表示制御装置３に送信する時刻修正指令手段２４とが設けられている。
【００２３】
また、表示制御手段３には、エレベータのかご又は乗場に設けられて情報を表示する表示手段３１と、この表示手段３１毎に設けられて個別に時刻を表示する個別時計３２と、この個別時計３２毎に設けられて時刻修正指令手段２４から送信された時刻修正情報に基いて個別時計３２の時刻を基準時計２２の時刻に修正設定する時刻設定手段３３とが設けられている。
【００２４】
図２は、実施の形態１の電気回路接続図で、図１と同符号は同一部分を示す。エレベータ制御装置２にはマイコンが設けられていて、２００はバス、２０１は、このバス２００に接続されたＣＰＵ、２０２はプログラムや固定定数が記録されたＲＯＭ、２０３はデータや演算結果等が一時的に記録されるＲＡＭ、２０４はマイコンと外部装置との信号の授受を行う入出力インターフェースで、具体的には電圧レベル変換、アナログ／ディジタル変換、シリアル／パラレル変換等を行う。２２ａは時刻を演算する時計ＩＣで、停電時は電池２２ｂによって付勢されて常時時刻を出力する基準時計として機能する。２３は表示制御装置３の時計ＩＣによる時刻を修正すべき要件を検出して入出力インターフェース２０４を介してマイコンに入力する時刻修正要件検出手段である。
【００２５】
３−１はかご３Ｃに取り付けられる表示制御装置で、３−２〜３−ｎは乗場３Ｈに取り付けられる表示制御装置である。各表示制御装置３にはマイコンが設けられていて、３００はバス、３０１は、このバス３００に接続されたＣＰＵ、３０２はプログラムや固定定数が記録されたＲＯＭ、３０３はデータや演算結果等が一時的に記録されるＲＡＭ、３０４はマイコンと外部装置との信号の授受を行う入出力インターフェースで、時刻修正要件検出手段２３が個別時計３２である時計ＩＣ３２ａの時刻を修正すべき要件を検出したことにより発せられる時刻修正情報を取り込むと共に、時計ＩＣ３２ａの時刻情報を表示器３０６に送信する。
【００２６】
次に、エレベータ制御装置２の動作を図３に従って説明する。時刻修正要件検出手段２３が時刻修正要件を検出すると、手順Ｓ１１から手順Ｓ１２に移り、時刻修正情報が作成される。この時刻修正情報は、基準時計２２である時計ＩＣ２２ａから読み取られた修正時刻と、個別時計である時計ＩＣ３２ａの時刻を修正時刻に修正するように指令する修正コマンドと、時刻修正情報を送信すべき表示制御装置３を識別するための送信セレクタとで構成されている。手順Ｓ１３で時刻修正情報が入出力インターフェース２０４からケーブル４を介して各表示制御装置３に送信される。修正すべき全ての表示制御装置３へ、時刻修正情報を送信し終えるとエレベータ制御装置２での処理は終了する。
【００２７】
次に、表示制御装置３の動作を図４に従って説明する。手順Ｓ２１で、ケーブル４を介して送信されて来た時刻修正情報の送信セレクタが自己のセレクタである場合は、手順Ｓ２２に移り、時刻修正情報のコマンドが時刻修正指令であるか調べる。時刻修正指令の場合は、手順Ｓ２３で時計ＩＣ３２ａの時刻を修正時刻に修正し、手順Ｓ２４でこの修正された時刻を表示手段３１で表示する。
【００２８】
上記実施の形態１によれば、時刻修正要件検出手段２３が時刻修正要件を検出すると、時刻修正情報を表示制御装置３へ送信して個別時計３２の時刻を基準時計２２の時刻に修正して表示させるようにしたので、基準時計２２による一元管理の下で各表示手段３１による時刻を統一して表示することができる。
また、人為による時刻修正の手間を省き、時刻を修正すべき場合は自動的に修正することができる。このため、時刻修正用として入力装置を別途付加する必要がない。
更に、電池２２ｂは、基準時計２２のみでよいので、電池電源の保守管理が容易である。
【００２９】
実施の形態２．
実施の形態２は、一群として管理される複数のエレベータの情報表示システムであって、基準時計及び時刻修正要件検出手段を群管理制御装置に設けて、個別時計を基準時計で一元管理するようにしたものである。
図５から図７は、この発明の実施の形態２を示す。図において、図１から図４と同符号は同一部分を示す。１は複数のエレベータを一群として管理する群管理制御装置で、この群管理制御装置１には、電池１２ｂによってバックアップされた基準時計１２と、個別時計３２の時刻を修正すべき要件を検出する時刻修正要件検出手段１３と、個別時計３２の時刻を基準時計１２による時刻に修正するように時刻修正情報を、後述のエレベータ制御装置２−１〜２−ｍの時刻修正中継手段２５に送信する時刻修正指令手段１４とが設けられている。
【００３０】
２−１〜２−ｍは、エレベータ毎に設けられて個別に制御するエレベータ制御装置（以下、総称する場合はエレベータ制御装置２ともいう。）で、それぞれ表示指令手段２１が設けられて、エレベータの運行状況を制御系ケーブル４−１〜４−ｍ（以下、総称する場合はケーブル４ともいう。）を介して表示制御装置３−１１〜３−ｍｎ（以下、総称する場合は表示制御装置３ともいう。）に送信して表示手段３１に表示する。２５はエレベータ制御装置２に設けられた時刻修正中継手段で、時刻修正指令手段１４からの時刻修正情報を中継して各エレベータ制御装置２に接続された表示制御装置３に送信する。
【００３１】
次に、群管理制御装置１での動作を図６に従って説明する。時刻修正要件検出手段１３が時刻修正要件を検出すると、手順Ｓ３１から手順Ｓ３２に移り、時刻修正指令手段１４で時刻修正情報が作成される。この時刻修正情報は、基準時計１２から読み取られた修正時刻と、個別時計３２の時刻を修正時刻に修正するように指令する修正コマンドと、時刻修正情報を送信すべきエレベータ制御装置２を識別するための送信セレクタとで構成されている。手順Ｓ３３で時刻修正情報が群管理系のケーブルを介して各エレベータ制御装置２に送信される。全台のエレベータ制御装置２へ時刻修正情報を送信し終えると群管理制御装置１での処理は終了する。
【００３２】
次に、エレベータ制御装置２での動作を図７に従って説明する。時刻修正情報が群管理制御装置１から送信されると、該当するセレクタのエレベータ制御装置２に設けられた時刻修正中継手段２５が受信し、手順Ｓ４１から手順Ｓ４２に移る。手順Ｓ４２では、図３の手順Ｓ１３から手順Ｓ１４と同様の処理がなされる。即ち、修正時刻及び修正コマンドに加えて表示制御装置３を識別するための送信セレクタとで構成された時刻修正情報が構築され（手順Ｓ１２）、この時刻修正情報が各表示制御装置３に送信される（手順Ｓ１３及び手順Ｓ１４）。修正すべき全ての表示制御装置３へ時刻修正情報が送信されるとエレベータ制御装置２での処理は終了する。
【００３３】
上記実施の形態２によれば、複数のエレベータを一群として管理する群管理制御装置に基準時計及び時刻修正要件検出手段を設け、個別時計の時刻を修正すべき要件が検出された場合は、時刻修正情報を一旦エレベータ制御装置２へ送信し、このエレベータ制御装置２から各表示制御装置３へ送信するようにしたので、複数のエレベータのかご又は乗場に表示制御装置を設けて利用客に情報を提供する場合であっても、基準時計１２による一元管理の下で各表示手段３１による時刻を統一して表示することができる。
また、セレクタを選択的に設定することにより、特定のエレベータ制御装置２に接続された表示制御装置３に限って時刻を修正することもできる。
【００３４】
実施の形態３．
実施の形態３は、一群として管理される複数のエレベータの情報表示システムであって、基準時計１２は群管理制御装置１に設け、時刻修正要件検出手段２８は各エレベータ制御装置２に設けて、時刻修正要件が検出されたエレベータ制御装置２から表示指令を受ける表示制御装置３の個別時計３２の時刻を基準時計１２の時刻で修正するようにして、個別時計３２を基準時計１２で一元管理するものである。
図８から図１０は実施の形態３を示す。図において、図１から図７と同符号は同一部分を示す。２８はエレベータを個別に制御するエレベータ制御装置２に設けられた時刻修正要件検出手段で、個別時計３２の時刻を修正すべき要件が検出されると、この検出信号に自己のエレベータ制御装置２を識別するためのセレクタを付して時刻修正中継手段２５へ送信する。時刻修正中継手段２５は、上記セレクタの付された検出信号を群管理制御装置１の時刻修正指令手段１４へ送信して時刻修正を要求する。
【００３５】
次に、エレベータ制御装置２の動作を図９に従って説明する。
手順Ｓ５１で、時刻修正要件検出手段２８が個別時計３２の時刻を修正すべき要件を検出すると、手順Ｓ５２に移り、要求元である自己のエレベータ制御装置２を識別する要求元セレクタと修正要求コマンドからなる時刻修正要求情報を作成する。手順Ｓ５３で時刻修正要件検出手段２８は、時刻修正要求情報を時刻修正中継手段２５から群管理制御装置１へ送信して一旦処理を終了する。
【００３６】
次に、群管理制御装置１の動作を図１０に従って説明する。群管理制御装置１の時刻修正指令手段１４が時刻修正中継手段２５からの時刻修正要求情報を受信すると、手順Ｓ６２で時刻修正指令手段１４は時刻修正情報を作成する。この時刻修正情報は、修正時刻と、修正コマンドと、要求元のエレベータ制御装置２を識別するための送信セレクタとからなる。手順Ｓ６３で、時刻修正指令手段１４は時刻修正情報を群管理系のケーブルを介して送信することにより、処理を終了する。なお、上記時刻修正情報は送信セレクタの識別によって要求元のエレベータ制御装置２の時刻修正中継手段２５が受信する。
【００３７】
要求元のエレベータ制御装置２の処理、即ち、時刻修正中継手段２５の処理は、上記図３による。即ち、修正時刻及び修正コマンドに加えて表示制御装置３を識別するための送信セレクタとで構成された時刻修正情報が構築され（手順Ｓ１２）、この時刻修正情報が各表示制御装置３に送信される（手順Ｓ１３及び手順Ｓ１４）。修正すべき全ての表示制御装置３へ時刻修正情報が送信されると時刻修正中継手段２５での処理は終了する。
【００３８】
また、時刻修正情報が送信された表示制御装置３における処理は、図４による。即ち、送信されて来た時刻修正情報の送信セレクタが自己のセレクタである場合（手順Ｓ２１）、時刻修正情報のコマンドが時刻修正指令であるか否か調べ（手順Ｓ２２）、時刻修正指令の場合は、個別時計３２の時刻を修正時刻に修正し（手順Ｓ２３）、この修正された時刻を表示手段３１で表示する（手順Ｓ２４）。
【００３９】
上記実施の形態３によれば、基準時計１２は群管理制御装置１に設け、時刻修正要件検出手段２８は各エレベータ制御装置２に設けて、時刻修正要件が検出されると、時刻修正要求情報にセレクタを付して時刻修正要件が検出されたエレベータ制御装置２を識別できるようにし、この識別されたエレベータ制御装置２に接続された表示制御装置３の個別時計３２の時刻を基準時計１２の時刻で修正するようにしたので、個別時計３２を基準時計１２で一元管理することができる。特に、時刻修正要件検出手段２８を各エレベータ制御装置２に設けたので、各エレベータごとに表示制御装置３の個別時計３２を基準時計１２の時刻に設定できる。
【００４０】
実施の形態４．
実施の形態４は、一群として管理される複数のエレベータの情報表示システムであって、基準時計１２は群管理制御装置１に設け、時刻修正要件検出手段３４はかご又は乗場の各表示制御装置３に設けて、時刻修正要件が検出された表示制御装置３の個別時計３２の時刻を基準時計１２の時刻で修正するようにして、個別時計３２を基準時計１２で一元管理するものである。
【００４１】
図１１から図１３は、実施の形態４を示す。図中、図１から図１０と同符号は同一部分を示す。図１１において、３４は端末機器である表示制御装置３毎に設けられた時刻修正要件検出手段で、自己の表示制御装置３で時刻修正要件を検出すると、この検出信号に自己の表示制御装置３を識別するためのセレクタを付して時刻修正中継手段２５へ送信する。時刻修正中継手段２５は、上記セレクタの付された検出信号を群管理制御装置１の時刻修正指令手段１４へ送信して時刻修正を要求する。
【００４２】
次に、動作について説明する。
まず、時刻修正要件検出手段３４が時刻修正要件を検出すると、図９と同様にして要求元である自己の表示制御装置３を識別する要求元セレクタと修正要求コマンドからなる時刻修正要求情報を作成し、この時刻修正要求情報を時刻修正中継手段２５へ送信する。
【００４３】
次に、時刻修正中継手段２５の動作を図１２に従って説明する。
手順Ｓ７１で、時刻修正中継手段２５が受信したデータが破壊されているか否かを調べる。このデータ破壊は、例えば、複数の表示制御装置３の時刻修正要件検出手段３４から時刻修正要求情報が同時に送信された場合に生じる。即ち、ケーブル４上で時刻修正要求情報が衝突して破壊されたデータが時刻修正中継手段２５に送信されることになる。データが破壊された場合は、セレクタによって要求元を識別することができない。このため、手順Ｓ７５でエレベータ制御装置２が管轄する全表示制御装置３を対象としてセレクタを設定し、後述の手順Ｓ７３及びＳ７４の処理を行う。
【００４４】
手順Ｓ７１で、受信データが破壊されていない場合は手順Ｓ７２に移り、受信データが時刻修正要求情報の場合は、手順Ｓ７３で要求元のセレクタを記憶する。手順Ｓ７４で時刻修正要求情報を群管理制御装置１の時刻修正指令手段１４へ送信して処理を終了する。
【００４５】
群管理制御装置１の時刻修正指令手段１４の処理は上記図１０による。即ち、時刻修正指令手段１４は基準時計１２から修正時刻を取り込み、更に修正コマンドと、要求元のエレベータ制御装置２を識別するための送信セレクタとからなる時刻修正情報を作成して（Ｓ６２）、要求元のエレベータ制御装置２の時刻修正中継手段２５へ返送する（Ｓ６３）。
【００４６】
次に、時刻修正指令手段１４から返送された時刻修正情報について、時刻修正中継手段２５での処理を図１３に従って説明する。
手順Ｓ７７で、受信されたデータが時刻修正情報であるか否か調べる。時刻修正情報の場合は、手順Ｓ７８に移り、表示制御装置３を送信先とする時刻修正情報に再編成する。即ち、修正コマンドと修正時刻に、時刻修正指令手段１４によって指定されたセレクタに替えて、手順Ｓ７３で記憶した要求元の時刻設定手段３３を識別するためのセレクタを付加した時刻修正情報に再編成する。手順Ｓ７９で、再編成された時刻修正情報を要求元の時刻設定手段３３へ送信して処理を終了する。表示制御装置３では、個別時計による時刻を送信された基準時計１２の時刻に設定する。
【００４７】
上記実施の形態４によれば、時刻修正要件検出手段３４をかご又は乗場の各表示制御装置３に設け、時刻修正要件が検出されると個別時計３２の時刻を基準時計１２の時刻で修正するようにしたので、基準時計１２で個別時計３２を一元管理できると共に、時刻を修正すべき表示制御装置３に限って時刻修正できる。
なお、時刻修正要件が検出された表示制御装置３に限らず、全表示制御装置３の時刻を修正するようにしてもよい。
【００４８】
実施の形態５．
この実施の形態５は、上記各実施の形態における時刻修正要件検出手段１３、２３、２８及び３４の検出態様を示す。図１４は実施の形態５を示す。図中、図１から図１３と同符号は同一部分を示す。
手順Ｓ８１は電源が遮断状態から送電状態に変化したことを検出して時刻修正要件とするものである。個別時計３２は電池によるバックアップがないので停電により個別時計３２が停止するからである。送電が再開されると、直ちに基準時計による時刻に設定するもので、手順Ｓ８１から手順Ｓ８６に移り、時刻修正情報を作成して手順Ｓ８７で送信をする。
なお、各機器の立上り時における初期設定を考慮して、送電が再開されてから所定時間経過後に、時刻修正情報を作成するようにしてもよい。
【００４９】
手順Ｓ８２は切替えスイッチが保守運転から通常運転に切り替ったことを検出して時刻修正要件とするものである。主として時刻修正要件検出手段１３、２３、及び２８の検出態様を示す。保守運転では、電源遮断を含めて各機器の点検が行われるので、個別時計３２の停止も当然予想される。そこで、保守運転から通常運転に切り替ったことを機に、個別時計３２の時刻を修正するようにしたものである。
なお、時刻修正要件は保守運転から通常運転への切替えに限られるものではなく、運転休止スイッチの操作や、かご操作盤内の戸開釦と戸閉釦が同時に押された場合、又は行先釦を予め定められた所定の順序で押された場合であってもよい。
【００５０】
手順Ｓ８３はかご内照明が消灯されたことを検出して時刻修正要件とするものである。エレベータでは省電力の観点から、所定時間以上利用客がいないことが検出されると、かご内の照明灯を消灯している。この消灯を検出して時刻の修正をするので、利用客に気付かれずに行うことができる。
【００５１】
手順Ｓ８４で所定時間での呼びの登録数等から、利用客も少なく閑散時と判断され、更に手順Ｓ８５でかご内が所定時間以上継続して無人の状態になったことを検出して時刻修正要件とするものである。
なお、かご内が無人か否かは、かごの秤装置によってもよく、また、かご呼びがなく、かつ、戸閉待機中であることを条件にしてもよい。
上記のとおり、閑散時で、かつ、かご内が無人であることを条件に時刻を修正するようにしたので、利用客に気付かれずに行うことができる。
なお、無人という閑散時の典型的な状態に限らず、単に閑散状態になったことを時刻修正要件としてもよい。
【００５２】
実施の形態６．
この実施の形態６は、電源が遮断状態から送電状態に切り替った当初であって各制御機器がまだ定常状態になっていない場合、又は時刻を修正中の場合を含めて、表示手段３１の画面表示を制御するようにしたものである。
図１５から図１７は実施の形態６を示す。図中、図１から図１４と同符号は同一部分を示す。３１ａは各表示制御装置３に設けられた表示制御回路で、表示手段３１の画面表示を制御するものである。
【００５３】
次に図１６に従って表示制御回路３１ａの動作を説明する。
電源が遮断状態から送電状態に切り替ると、このシステムを構成する各機器ではメモリや入出力ポート等の初期設定が行われる。また、表示手段３１では、エレベータ制御装置２の表示指令手段２１からエレベータの運行に係る情報を受信して表示用データの作成が行われる。このような初期設定が完了するまでは、表示手段３１に正常な表示をすることができない。そこで、手順Ｓ９１で初期設定が完了していない場合は、手順Ｓ９２に移り、別途準備された初期情報を表示するか、又は何も表示しない、いわゆるブラックアウトの状態にする。
【００５４】
初期設定が完了している場合は手順Ｓ９３に移り、かご内照明が自動消灯された場合は、手順Ｓ９４でかご用の表示制御装置３の表示制御回路３１ａを作動させて表示手段３１の電源を遮断し、表示手段３１の延命を図る。
また、夜間にエレベータ制御装置２の電源が遮断された場合等、エレベータ制御装置２と表示制御装置３との間の通信異常が所定時間以上継続した場合は、手順Ｓ９３で表示阻止状態と判断して、表示制御回路３１ａは手順Ｓ９４で表示手段３１の電源を遮断する。
表示阻止状態が解消された場合は、手順Ｓ９３から手順Ｓ９５に移り、表示制御回路３１ａは表示手段３１に電源を送電する。
【００５５】
表示制御回路３１ａは、手順Ｓ９６で、時刻修正要件検出手段３４が時刻修正要件を検出してから個別時計３２の時刻が基準時計の時刻に修正されるまで、時刻修正処理中と判断して手順Ｓ９８に移り、図１７に示す専用画面を表示手段３１に表示させる。
また、エレベータ制御装置２からの表示指令に対応する表示データが異常又は存在しない場合や、エレベータ制御装置２と表示制御装置３との間が通信異常で、この異常状態が手順Ｓ９３における所定時間未満であって表示阻止状態と判断されない場合は、手順Ｓ９７で表示データは異常とされて、同様に手順Ｓ９８で表示手段３１に専用画面を表示する。
手順Ｓ９７で表示データは正常と判断された場合は、手順Ｓ９９に移り、エレベータ制御装置２の表示指令手段２１から受信した表示指令に対応した本来の正常な情報を表示手段３１に表示する。
なお、手順Ｓ９６で、時刻修正処理中とされた場合は、専用画面を表示するものとしたが、時刻に関する情報の表示のみを削除してエレベータの運行に関する情報は表示手段３１に表示してもよい。
【００５６】
図１７は専用画面の例を示す。ここでは、文字だけで表示したが、これに限らずグラフィクやアニメーション等を表示してもよい。
更に、エレベータ制御装置２と表示制御装置３の間のノイズ等による瞬時の通信異常は無視して、直前に受信した正常なデータを所定時間表示し続けるようにしてもよい。
【００５７】
【発明の効果】
この発明は上記のとおり構成されているので、以下の効果を奏する。請求項１及び請求項２に係るエレベータの情報表示システムは、エレベータのかご又は乗場に設けられた表示制御装置に個別時計を内蔵して現在時刻を表示させ、この個別時計の時刻を修正すべき要件が発生すると、この要件を時刻修正要件検出手段によって検出して表示手段に対して共通に設けられた電池でバックアップされた基準時計の時刻で個別時計の時刻を修正するようにしたものである。そしてさらに、基準時計を、複数のエレベータを一群として管理する群管理制御装置に設け、時刻修正要件検出手段を、表示手段ごとにそれぞれ設け、時刻修正要件を検出すると修正要求元を識別するセレクタを付した時刻修正要求を基準時計側へ送信し、基準時計側からは上記セレクタに基いて上記要求元の表示手段へ返送するようにしたものである。このため、人為による時刻修正をすることなく基準時計で個別時計の時刻を一元管理することができる、という効果を奏するとともに、時刻を修正すべき表示制御装置に限定して時刻修正できる、という効果を奏する。
【００６２】
請求項３に係るエレベータの情報表示システムは、時刻修正要件検出手段が設けられた回路に電源が投入されたことを、個別時計の時刻を修正すべき要件としたものである。このため、エレベータが稼動状態になるのに合せて、基準時計によって一元管理された時刻を利用客に提供できる、という効果を奏する。
【００６６】
請求項４に係るエレベータの情報表示システムは、表示手段に表示する情報を作成中若しくは修正中のときは上記表示手段にその旨を表示するようにしたものである。このため、利用客を混乱させることがない、という効果を奏する。
【００６７】
請求項５に係るエレベータの情報表示システムは、かご内の照明灯が消灯したときは、上記かごに設けられた表示手段の電源を遮断するようにしたものである。このため、表示手段の延命を図ることができる、という効果を奏する。
【図面の簡単な説明】
【図１】  この発明の実施の形態１におけるエレベータの情報表示制御システムの全体構成を示すブロック図。
【図２】  この発明の実施の形態１の電気回路を示すブロック図。
【図３】  この発明の実施の形態１の動作を示す流れ図。
【図４】  この発明の実施の形態１の動作を示す流れ図。
【図５】  この発明の実施の形態２におけるエレベータの情報表示制御システムの全体構成を示すブロック図。
【図６】  この発明の実施の形態２の動作を示す流れ図。
【図７】  この発明の実施の形態２の動作を示す流れ図。
【図８】  この発明の実施の形態３におけるエレベータの情報表示制御システムの全体構成を示すブロック図。
【図９】  この発明の実施の形態３の動作を示す流れ図。
【図１０】  この発明の実施の形態３の動作を示す流れ図。
【図１１】  この発明の実施の形態４におけるエレベータの情報表示制御システムの全体構成を示すブロック図。
【図１２】  この発明の実施の形態４の動作を示す流れ図。
【図１３】  この発明の実施の形態４の動作を示す流れ図。
【図１４】  この発明の実施の形態５の動作を示す流れ図。
【図１５】  この発明の実施の形態６におけるエレベータの情報表示制御システムの全体構成を示すブロック図。
【図１６】  この発明の実施の形態６の動作を示す流れ図。
【図１７】  この発明の実施の形態６における表示手段３１の正面図。
【図１８】  従来のエレベータの情報表示制御システムの全体構成を示すブロック図。
【図１９】  従来のエレベータの情報表示制御システムの電気回路を示すブロック図。
【符号の説明】
１  群管理制御装置、  ２  エレベータ制御装置、  ３  表示制御装置、  ３−１  表示制御装置、  ３Ｃ  かご  ３−ｎ  表示制御装置、  ３Ｈ  乗場  ４ケーブル、  １２  基準時計、  １２ｂ  電池  １３  時刻修正要件検出手段、  １４  時刻修正指令手段、  ２１  表示指令手段、  ２５  時刻修正中継手段、  ２８  時刻修正要件検出手段、  ３１  表示手段、  ３１ａ  表示制御回路、  ３２  個別時計、  ３３  時刻設定手段、３４  時刻修正要件検出手段。
【図１】
0004497652.tif 000002
【図２】
0004497652.tif 000003
【図３】
0004497652.tif 000004
【図４】
0004497652.tif 000005
【図５】
0004497652.tif 000006
【図６】
0004497652.tif 000007
【図７】
0004497652.tif 000008
【図８】
0004497652.tif 000009
【図９】
0004497652.tif 000010
【図１０】
0004497652.tif 000011
【図１１】
0004497652.tif 000012
【図１２】
0004497652.tif 000013
【図１３】
0004497652.tif 000014
【図１４】
0004497652.tif 000015
【図１５】
0004497652.tif 000016
【図１６】
0004497652.tif 000017
【図１７】
0004497652.tif 000018
【図１８】
0004497652.tif 000019
【図１９】
0004497652.tif 000020